(57)【特許請求の範囲】
【請求項１】
電界を電界伝達媒体に誘起して相互に電界通信を行う携帯通信機器と制御装置とを備え、外部と通信を行う接続インタフェースに通信接続される携帯通信機器制御システムであって、
前記制御装置は、
前記携帯通信機器を無線による通信機能をオフにして電界通信による通信機能をオンに制御する制御信号を格納した格納手段と、
電界通信用の第１の電極と、
前記電界伝達媒体が前記第１の電極に接触しているときに、前記格納手段から読み出した前記制御信号と前記接続インタフェースから受信したデータに基づく電界を前記電界伝達媒体に対して前記第１の電極により誘起して送信する送信手段と、
前記電界伝達媒体を介して伝達されたデータを前記第１の電極を通じて受信し、当該データを前記接続インタフェースへ送信する転送手段と、を有し、
前記携帯通信機器は、
電界通信用の第２の電極と、
前記電界伝達媒体を介して伝達された前記制御信号と前記データを前記第２の電極を通じて受信する受信手段と、
受信した前記制御信号に基づいて当該携帯通信機器の動作を制御する制御手段と、
送信するデータに基づく電界を電界伝達媒体に対して前記第２の電極により誘起して送信する送信手段と、
を有することを特徴とする携帯通信機器制御システム。
【請求項２】
前記第１の電極は、床あるいはドアノブに配置されていることを特徴とする請求項１記載の携帯通信機器制御システム。
【発明の詳細な説明】
【技術分野】
【０００１】
本発明は、電界通信を利用して携帯通信機器を制御する技術に関する。
【背景技術】
【０００２】
一般に、携帯電話機は、着信音を鳴らさずに振動や光により着信を知らせるマナーモードを備えている。電車内や映画館などでは、他の人の迷惑にならないようにマナーモードに設定したり、電源をオフにすることが求められる。例えば、特許文献１には、駅の改札で携帯電話機をマナーモードに設定する技術が知られている。また、病院内や飛行機内などでは、電波による機器の誤作動を防ぐために携帯電話機の電源をオフにする必要がある。
【特許文献１】特開２００７−３２９７１０号公報
【発明の開示】
【発明が解決しようとする課題】
【０００３】
しかしながら、携帯電話機をマナーモードに設定したり、電源をオフにする操作は、ポケットや鞄などから携帯電話機を取り出す必要があり、操作が煩雑であるため十分な対応が取られていないという問題がある。携帯電話機の電源をオフにした場合は通話をすることができないので、電源をオフにしない人も存在する。
【０００４】
本発明は、上記に鑑みてなされたものであり、その課題とするところは、煩雑な操作をすることなく携帯通信機器の設定を変更するなどの制御を行うことにある。
【課題を解決するための手段】
【０００５】
本発明に係る携帯通信機器制御システムは、電界を電界伝達媒体に誘起して相互に電界通信を行う携帯通信機器と制御装置とを備え、外部と通信を行う接続インタフェースに通信接続される携帯通信機器制御システムであって、制御装置は、携帯通信機器を無線による通信機能をオフにして電界通信による通信機能をオンに制御する制御信号を格納した格納手段と、電界通信用の第１の電極と、電界伝達媒体が第１の電極に接触しているときに、格納手段から読み出した制御信号と接続インタフェースから受信したデータに基づく電界を電界伝達媒体に対して第１の電極により誘起して送信する送信手段と、電界伝達媒体を介して伝達されたデータを第１の電極を通じて受信し、当該データを接続インタフェースへ送信する転送手段と、を有し、携帯通信機器は、電界通信用の第２の電極と、電界伝達媒体を介して伝達された制御信号とデータを第２の電極を通じて受信する受信手段と、受信した制御信号に基づいて当該携帯通信機器の動作を制御する制御手段と、送信するデータに基づく電界を電界伝達媒体に対して第２の電極により誘起して送信する送信手段と、を有することを特徴とする。
【０００６】
本発明にあっては、制御装置が、携帯通信機器を制御する制御信号を電界通信により送信することにより、携帯通信機器を保持する利用者が制御装置の電極に接触するだけでその携帯通信機器を制御することが可能となる。利用者にとっては、例えば、携帯通信機器を鞄などから取り出し、動作モードを変更するなどの煩雑な操作が不要となる。
【０００８】
本発明にあっては、制御装置を接続インタフェースに接続し、携帯通信機器が電界通信により送信するデータを制御装置が接続インタフェースへ送信するとともに、制御装置が接続インタフェースから受信したデータを携帯通信機器へ電界通信により送信することにより、無線など他の通信方法が制限されている場合であっても電界通信により通信を行うことができる。
【００１０】
制御装置が携帯通信機器の動作モードを変更する制御信号を送信することにより、利用者の手を煩わせることなく、携帯通信機器の動作モードの変更が可能となる。動作モードの変更とは、例えば、携帯通信機器が音を発しない設定にしたり、携帯通信機器の電源を切る、電波による通信を禁止するなど携帯通信機器の動作設定を変更することである。
【００１１】
上記携帯通信機器制御システムにおいて、第１の電極は、床あるいはドアノブに配置されていることを特徴とする。
【００１２】
本発明にあっては、利用者が自然に接触する場所に電極を配置することにより、利用者に意識させることなく携帯通信機器の制御が可能となる。
【発明の効果】
【００１３】
本発明によれば、煩雑な操作をすることなく携帯通信機器の設定を変更するなどの制御を行うことができる。
【発明を実施するための最良の形態】
【００１４】
［第１の実施の形態］
図１は、第１の実施の形態における携帯電話制御システムの構成を示す模式図である。同図に示す携帯電話制御システム１は、制御信号発信装置２、携帯電話機３を備える。制御信号発信装置２には電極２１が接続される。電極２１は、携帯電話機３の使用を制限した場所の出入口に配置される。制御信号発信装置２と携帯電話機３とは、人体などの電界伝達媒体を伝送経路とする電界通信により通信を行う。携帯電話機３を保持した利用者１００が電極２１に接触したときに、携帯電話機３は、制御信号発信装置２が送信する制御信号を受信し、携帯電話機３自身の動作モードを変更する。
【００１５】
動作モードの変更は、例えば、通常モードからマナーモードへの変更やマナーモードから通常モードへの変更、あるいは携帯電話機３の電源をオフにすることなどである。例えば、映画館の内側（客室内）には、マナーモードへの変更を制御する制御信号を発信する制御信号発信装置２を配置し、映画館の外側（廊下）に通常モードへの変更を制御する制御信号を発信する制御信号発信装置２を配置する。また、病院、飛行機への入口には、携帯電話機３の電源をオフにする制御信号を発信する制御信号発信装置２を配置する。
【００１６】
電極２１は、出入口の床やドアノブなど利用者１００が出入りする際に、特に意識することなく自然に接触する場所に配置することが好ましい。
【００１７】
次に、制御信号発信装置２について説明する。図２は、本実施の形態における制御信号発信装置２の構成を示すブロック図である。同図に示す制御信号発信装置２は、電極２１を接続した電界送信部２２および格納部２３を備える。格納部２３には、携帯電話機３を制御する制御信号が格納される。電界送信部２２は、格納部２３から制御信号を読み出し、その制御信号を含んだ送信データを電極２１に供給し、利用者１００に対して送信データに基づく電界を誘起する。制御信号は、所定の時間間隔で送信するものでもよいし、利用者１００が電極２１に接触したことを検知したときに送信するものでもよい。
【００１８】
次に、携帯電話機３について説明する。図３は、本実施の形態における携帯電話機３の構成を示すブロック図である。同図に示す携帯電話機３は、電極３１、電界検出部３２、信号処理回路３３、波形整形回路３４、制御部３５および携帯電話機能３６を備える。携帯電話機能３６は、無線により無線基地局を介して通話をする、いわゆる携帯電話の一般的な機能を有する。また、携帯電話機能３６は、通常モード、着信音を鳴らさないマナーモードなどの動作設定が可能である。
【００１９】
電界検出部３２は、電極３１が受信した電界を検出して電気信号に変換する。信号処理回路３３は、この電気信号に増幅、雑音処理などの信号処理を施す。波形整形回路３４は、波形整形を行い、制御部３５に供給する。制御部３５は、その電気信号に含まれる制御信号に基づいて、携帯電話機能３６を制御する。
【００２０】
次に、携帯電話制御システムの動作の流れについて説明する。図４は、利用者１００が電極２１に接触したときの動作の流れを示すフローチャートである。
【００２１】
映画館の入口など、電極２１が配置された場所に到着した利用者１００が制御信号発信装置２に接続された電極２１に接触する（ステップ４０１）。利用者１００が電極２１に接触すると、利用者１００の保持する携帯電話機３と制御信号発信装置２との間で、利用者１００の人体を電界伝達媒体とする通信路が確立され、携帯電話機３と制御信号発信装置２は通信が可能となる。
【００２２】
続いて、携帯電話機３は、利用者１００を介して、制御信号発信装置２が送信した制御信号を受信する（ステップ４０２）。
【００２３】
続いて、携帯電話機３は、受信した制御信号に基づいて設定変更などの制御を行う（ステップ４０３）。
【００２４】
したがって、本実施の形態によれば、携帯電話機３を制御する制御信号を電界通信により送信する制御信号発信装置２に接続された電極２１を出入口などに配置することにより、利用者１００が制御信号発信装置２に接続された電極２１に接触するだけで、利用者１００の所持する携帯電話機３の設定を変更することができる。
【００２５】
［第２の実施の形態］
図５は、第２の実施の形態における携帯電話制御システムの構成を示す模式図である。同図に示す携帯電話制御システム５は、第１の実施の形態と同様に制御信号発信装置６が発信する制御信号により携帯電話機７を制御するシステムである。第１の実施の形態とは、制御信号発信装置６と携帯電話機７との間で電界通信により音声データを送受信する点で異なる。なお、以下では、主に電界通信による音声通話について説明するが、音声データだけでなく、メールやウェブ等の通信についても同様に適用可能である。
【００２６】
図５に示す携帯電話制御システム５は、電極６１を接続した制御信号発信装置６および携帯電話機７を備える。電極６１は、携帯電話機７の無線による通話が制限されている制限領域５０に配置される。また、制御信号発信装置６には有線ＬＡＮ（Local Area Network）５１を介して接続インタフェース６２が接続される。接続インタフェース６２は携帯電話ネットワーク５２に接続される。
【００２７】
制御信号発信装置６と携帯電話機７とは、電界通信により音声データの送受信が可能であり、利用者１００および電極６１を介して音声データの送受信を行う。制御信号発信装置６が携帯電話機７から受信した音声データは、ＬＡＮ５１を介して接続インタフェース６２へ送信される。接続インタフェース６２は、無線基地局５３を介して無線通信を行う別の携帯電話機７へ音声データを送信する。逆に、制御信号発信装置６は、接続インタフェース６２から受信した音声データを電極６１および利用者１００を介して携帯電話機７へ送信する。
【００２８】
このように、電極６１の設置場所では、携帯電話機７は電界通信により通話が可能であるので、制限領域５０内の電極６１の設置場所には、電界通信による音声通話が可能である旨を明示し、利便性を高めることが可能である。なお、制限領域５０内の複数箇所に電極６１を配置することが好ましい。
【００２９】
また、制限領域５０では、無線による通話をより確実に禁止するために、第１の実施の形態で示した携帯電話制御システムを配置する。具体的には、制限領域５０の入口（内側）に携帯電話機７の無線通話機能を停止させる制御信号を送信する制御信号発信装置２Ａの電極２１Ａを配置する。一方、制限領域５０の出口（外側）には、無線通話機能をオンにする制御信号を送信する制御信号発信装置２Ｂの電極２１Ｂを配置する。これにより、利用者１００が制限領域５０に入るとき携帯電話機７の無線通話機能が停止され、利用者１００が制限領域５０から出たときに、携帯電話機７の無線通話機能がオンとなる。
【００３０】
次に、制御信号発信装置６について説明する。図６は、本実施の形態における制御信号発信装置６の構成を示すブロック図である。同図に示す制御信号発信装置６は、電界送信部６３、格納部６４、電界検出部６５、信号処理回路６６および波形整形回路６７を備える。制御信号発信装置６には、電極６１および接続インタフェース６２が接続される。接続インタフェース６２とは、有線ＬＡＮ５１を介して接続されているが、これに限るものではなく、ＲＳ２３２Ｃ、ＲＳ４８５などシリアル接続でもよい。
【００３１】
電界送信部６３は、格納部６４に格納された制御信号および接続インタフェース６２から受信した音声データを電極６１に供給する。格納部６４には、携帯電話機７の無線通信機能をオフにして、電界通信による音声通話機能をオンにする制御信号が格納される。
【００３２】
一方、電界検出部６５、信号処理回路６６および波形整形回路６７は、電極６１が受信した電界を検出して電気信号に変換し、信号処理、波形整形を行って接続インタフェース６２へ送信する。
【００３３】
次に、携帯電話機７について説明する。図７は、本実施の形態における携帯電話機７の構成を示すブロック図である。同図に示す携帯電話機７は、電極７１、電界検出部７２、信号処理回路７３、波形整形回路７４、制御部７５、電界送信部７６および携帯電話機能７７を備える。携帯電話機能７７は、マイク、スピーカを有し、無線により通信を行う機能を有する。なお、無線通話機能はオフにすることが可能である。
【００３４】
電界検出部７２、信号処理回路７３および波形整形回路７４は、電極７１が受信した電界を検出して電気信号に変換し、信号処理、波形整形を行って制御信号を制御部７５へ出力する。制御部７５は、制御信号に基づいて携帯電話機能７７の設定を変更する。また、受信した信号が音声データの場合には、その音声データを携帯電話機能７７へ出力する。入力された音声データは、携帯電話機能７７の有するスピーカにより出力される。
【００３５】
電界送信部７６は、携帯電話機能７７の有するマイクから入力された音声データを電極７１に供給し、利用者１００に対して音声データに基づく電界を誘起する。
【００３６】
このように、携帯電話機７は、無線通話のほかに、電界通信による通話をすることができる。無線通話と電界通信による通話とは、制御信号発信装置６から受信した制御信号によって切り替える。
【００３７】
次に、携帯電話制御システムの動作の流れについて説明する。図８は、利用者が制限領域５０内に配置された電極６１に接触したときの動作の流れを示すフローチャートである。
【００３８】
制限領域５０内において、電界通信により音声通話が可能な地点に到着した利用者１００が電極６１に接触する（ステップ８０１）。利用者１００が電極６１に接触すると、利用者１００の保持する携帯電話機７と制御信号発信装置６との間で、利用者１００の人体を電界伝達媒体とする通信路が確立され、携帯電話機７と制御信号発信装置６は通信が可能となる。
【００３９】
続いて、携帯電話機７は、利用者１００を介して、制御信号発信装置６が送信した制御信号を受信する（ステップ８０２）。
【００４０】
続いて、携帯電話機７は、受信した制御信号に基づいて電界通信通話モードに設定を切り替える（ステップ８０３）。具体的には、制御信号を受信した携帯電話機７は、無線通話機能をオフにするとともに、電界通信による通話機能をオンにする。なお、制限領域５０内に入ったときに無線通話機能がオフされていることもある。
【００４１】
電界通信による通話機能をオンとしたので、利用者１００が電極６１に接触している間は、電界通信による音声通話が可能となる（ステップ８０４）。
【００４２】
利用者１００が電極６１から離れると（ステップ８０５）、電界通信による音声通話が不可能となるので、電界通信による通話機能をオフにする（ステップ８０６）。携帯電話機７の電界通信通話機能をオフにするには、例えば、そのエリアの外側に、電界通信による通話機能をオフにする制御信号を送信する制御信号送信装置の電極を配置する。あるいは、携帯電話機７が、制御信号発信装置６の送信する制御信号を所定の時間認識できなければ、電界通信による音声通話が不可能であると判断し、電界通信による通話機能をオフにする。
【００４３】
したがって、本実施の形態によれば、制御信号発信装置６が携帯電話ネットワーク５２に接続する接続インタフェース６２を備え、携帯電話機７と、携帯電話機７を制御する制御信号を送信する制御信号発信装置６との間で電界通信により音声データを送受信することにより、携帯電話機７は、無線による通話を禁止した制限領域５０内においても電界通信による音声通信を行うことが可能となる。
【図面の簡単な説明】
【００４４】
【図１】第１の実施の形態における携帯電話制御システムの構成を示す模式図である。
【図２】上記携帯電話制御システムで用いる制御信号発信装置の構成を示すブロック図である。
【図３】上記制御信号発信装置により制御される携帯電話機の構成を示すブロック図である。
【図４】上記携帯電話制御システムの動作の流れを示すフローチャートである。
【図５】第２の実施の形態における携帯電話制御システムの構成を示す模式図である。
【図６】上記形態電話制御システムで用いる制御信号発信装置の構成を示すブロック図である。
【図７】上記制御信号発信装置により制御される携帯電話機の構成を示すブロック図である。
【図８】上記携帯電話制御システムの動作の流れを示すフローチャートである。
【符号の説明】
【００４５】
１，５…携帯電話制御システム
２，２Ａ，２Ｂ，６…制御信号発振装置
２１，２１Ａ，２１Ｂ，６１…電極
２２，６３…電界送信部
２３，６４…格納部
６５…電界検出部
６６…信号処理回路
６７…波形整形回路
３，７…携帯電話機
３１，７１…電極
３２，７２…電界検出部
３３，７３…信号処理回路
３４，７４…波形整形回路
３５，７５…制御部
７６…電界送信部
３６，７７…携帯電話機能
５０…制限領域
５１…ＬＡＮ
５２…携帯電話ネットワーク
５３…無線基地局
６２…接続インタフェース
１００…利用者
【図１】
0004838285.tif 000002
【図２】
0004838285.tif 000003
【図３】
0004838285.tif 000004
【図４】
0004838285.tif 000005
【図５】
0004838285.tif 000006
【図６】
0004838285.tif 000007
【図７】
0004838285.tif 000008
【図８】
0004838285.tif 000009